(57)【要約】【課題】圧電噴霧装置及び対応する再充填部を提供する【解決手段】本発明は圧電噴霧装置に関し、その圧電噴霧装置は、少なくとも１つの取外し可能な再充填部を入れる少なくとも１つの筐体を画定する容器を含み、再充填部は、噴霧される物質が入っている少なくとも１つの貯蔵容器と、少なくとも１つの圧電噴霧デバイスの一部分と、圧電噴霧デバイスに対する少なくとも１つの物質供給装置と、を有し、圧電噴霧装置は、更に、再充填部に対する物質供給装置を動作させるために、容器内に収容された電気モーターと、電気モーターと圧電噴霧デバイスを動作する制御回路と、を含んでいる。【選択図】図２
2008155207.tif 000002
【特許請求の範囲】
【請求項１】
少なくとも１つの取外し可能な再充填部を入れる少なくとも１つの筐体を画定する容器を含む圧電噴霧装置であって、
前記再充填部は、
噴霧される物質が入っている少なくとも１つの貯蔵容器と、
少なくとも１つの圧電噴霧デバイスの全体又は部分と、
前記圧電噴霧デバイスに対する少なくとも１つの物質供給装置と、を有し、
前記圧電噴霧装置は、更に、
前記再充填部の物質供給装置を作動させるために前記容器内に収容された電気モーターと、
前記電気モーターと前記圧電噴霧デバイスを作動させる制御回路と、
を含んでいる圧電噴霧装置。
【請求項２】
前記少なくとも１つの圧電噴霧デバイスは、前記取外し可能な再充填部によって支持された、振動させられる薄膜と、前記取外し可能な再充填部によって支持され、かつ、前記薄膜に連結されて、前記薄膜を振動させる圧電素子とを含むことを特徴とする請求項１に記載の圧電噴霧装置。
【請求項３】
前記少なくとも１つの圧電噴霧デバイスは、前記取外し可能な再充填部によって支持された、振動させられる薄膜と、前記容器によって支持され、前記薄膜を振動させる圧電素子とを含むことを特徴とする請求項１に記載の圧電噴霧装置。
【請求項４】
前記再充填部に対する前記物質供給装置がポンプを含むことを特徴とする請求項１ないし３のいずれかに記載の圧電噴霧装置。
【請求項５】
前記ポンプが、互いに接触して回転する２つの回転部材を含むことを特徴とする請求項４に記載の圧電噴霧装置。
【請求項６】
前記再充填部が、前記圧電デバイスに対する供給室を含み、前記貯蔵容器（２０）が柔軟な袋を含み、前記容器が前記モーターを収容する基部と、前記物質を噴霧する開口を有する取外し可能な蓋を含み、前記容器は、その頂部に噴霧サイクルを開始することができるプッシュボタン含むことを特徴とする請求項１ないし５のいずれかに記載の圧電噴霧装置。
【請求項７】
前記容器が、第一及び第二組成物をそれぞれ含有する少なくとも２つの再充填部を入れるように構成され、前記圧電噴霧装置が対応する２つの電気モーターを有し、かつ、前記制御回路が、噴霧する前記第一及び第二組成物の相対的な比率に従って前記モーターを制御するように構成されていることを特徴とする請求項１ないし６のいずれかに記載の圧電噴霧装置。
【請求項８】
前記制御回路が噴霧期間を計測し、その噴霧期間に従って、使用者に前記貯蔵容器内の空の程度について通知する情報を提供するように構成されていることを特徴とする請求項１ないし７のいずれかに記載の圧電噴霧装置。
【請求項９】
圧電噴霧装置用の再充填部が、
噴霧する物質を含有する少なくとも１つの貯蔵容器と、
少なくとも１つの圧電噴霧デバイスの一部と、
前記圧電噴霧デバイスに対する少なくとも１つの物質供給装置と、を含み、前記物質供給装置が少なくとも１つの可動部材を有し、前記可動部材の運動が前記物質を前記貯蔵容器から前記噴霧デバイスに向かって流動させる、再充填部。
【請求項１０】
前記圧電デバイスが、振動させられる薄膜を含み、前記圧電デバイスが前記薄膜に連結された圧電素子を含み、前記圧電素子が前記薄膜を振動し、又は、前記再充填部には圧電素子がないことを特徴とする請求項９に記載の再充填部。
【発明の詳細な説明】
【技術分野】
【０００１】
本発明は、圧電噴霧装置及びその装置に対する再充填部に関する。
【背景技術】
【０００２】
圧電噴霧装置は、室内芳香剤のようなわずかに粘性の液体を噴霧するのに主に使用される。
【０００３】
芯が、毛管現象によって、セラミックによって振動される薄膜に、補給する。
【０００４】
これらの装置は、例えば、ファンデーションのような更に粘性な物質の噴霧には向いていない。
【０００５】
国際特許出願公開公報ＷＯ２００５／０７５０９５には、噴霧先端に供給するポンプを含む静電噴霧装置が開示されていて、それでは、物質は電界を受ける。そのような噴霧装置は、電界の影響でその物質を分極性かつ分散性とするために物質の特定の調合を必要とするので都合がわるい。
【特許文献１】国際公開公報ＷＯ２００５／０７５０９５
【特許文献２】フランス国特許第２８８６１７４号
【特許文献３】米国特許第４７０２４１８号
【特許文献４】国際公開公報ＷＯ９１／１６９９７
【発明の開示】
【発明が解決しようとする課題】
【０００６】
本発明は、特に、分極可能であってもなくとも、各種の流動性及び調合を有する物質の噴霧ができる噴霧装置を提供することを目的とするものである。
【課題を解決するための手段】
【０００７】
本発明の実施例である圧電噴霧装置は、
‐少なくとも１つの取外し可能な再充填部を入れる少なくとも１つの筐体を画定する容器を含み、前記再充填部は、
‐噴霧される物質が入っている少なくとも１つのタンクと、
‐少なくとも１つの圧電噴霧デバイス、例えば、噴霧デバイスの全体又は部分と、
‐圧電噴霧デバイスに対する少なくとも１つの物質供給装置と、を有し、
前記圧電噴霧装置は、更に、
‐前記再充填部の物質供給装置を作動させるために、前記容器内に収容された電気モーターと、
‐前記電気モーターと前記圧電噴霧デバイスを作動する制御回路と、
を含んでいる。
本発明は、選択した再充填部に従って、使用者が所望の物質を噴霧することができるようにする。
【０００８】
圧電噴霧デバイスは、取外し可能な再充填部に支持され、振動させられる薄膜を含み、また、その薄膜を振動させる圧電素子を含むことができる。
【０００９】
圧電素子は、セラミック材料を含むことができ、また、印加電圧を振動に変換できるものとすることができる。
【００１０】
圧電素子は、再充填部に支持され、かつ、再充填部に連結させることができる。
【００１１】
変形例では、圧電素子は、容器に支持させることができる。
【００１２】
圧電素子は、取外し可能な再充填部にのみ支持させることができる。
【００１３】
圧電デバイスを使用して、物質が分極可能であってもなくとも、必要なら、比較的大きな噴霧装置で噴霧することができる。
【００１４】
物質供給装置は、ポンプを含むことができる。
【００１５】
再充填部は、圧電デバイスの振動する薄膜によって少なくとも部分的に区切られた、圧電デバイスに対する物質供給室を有することができる。
【００１６】
ポンプは、オフにされたときに、供給室と貯蔵容器との間の連通を遮断するように構成することができ、これは、特に、物質が１つ以上の揮発性溶剤を含むときに、その物質の保存を改良するのに役立つ。ポンプは、たとえば、２つの回転部材、たとえば、卵形或は他の形状で、歯を有することができるか、またはできない、部材を含むことができる。
【００１７】
２つの回転部材は、互いに接触して回転することができる。歯がない場合は、一方の部材が他方の部材に対して滑るのを避けるために、たとえば、摩擦あるいは適合した機械的連結手段を考えることができる。
【００１８】
本発明の実施例では、物質の流通方向を逆転した後で、圧電噴霧デバイスの動作を単に中断することができ、これは、物質の残存分を噴霧することによって、供給室を空にするのを更に改良する。
【００１９】
圧電デバイスは、噴霧サイクルの始めに、物質を流通させる前に作動させることができ、これにより、実際の噴霧の前に、圧電デバイスが比較的安定な動作状態に達することができることによって、噴霧した物質の粒度分布を改良する。
【００２０】
貯蔵容器は柔軟な袋を含み、これは、空気を導入することなく貯蔵容器内の物質を引き出すのを容易にする。
【００２１】
容器はモーターを収容する基部と、その基部に取り付けることができ、かつ、物質が噴霧される開口を有する取外し可能な蓋を有することができる。
【００２２】
容器は、その頂部に噴霧サイクルを開始するプッシュボタンを有することができる。
【００２３】
容器は、それぞれ第一及び第二の組成物を含む少なくとも２つの再充填部と、２つの対応する電気モーターを有する装置と、噴霧される第一及び第二の組成物の相対的比率に従ってそのモーターを制御するように構成された制御回路とを収納するように構成することができる。物質は、空気を導入することなく、貯蔵容器から引き出すことができる。
【００２４】
供給室への物質の流動期間は計数することができる。物質の流動期間に従って、必要ならば、可聴信号及び／又は可視信号を発して、使用者に貯蔵容器の空の度合いを知らせることができる。
【００２５】
噴霧される物質は、化粧品又はスキンケア製品、たとえば、メイキャップ組成物、具体的には、ファンデーション又は自動日焼け組成物にすることができる。
【００２６】
噴霧される物質は、薬剤とは異なるものでもよい。
【００２７】
本発明の実施例は、前記した噴霧装置用の再充填部を提供するが、これは、
‐噴霧される物質を含有する少なくとも１つの貯蔵容器
‐少なくとも１つの圧電噴霧デバイスの一部、例えば、噴霧デバイス
‐圧電噴霧装置用の少なくとも１つの物質供給装置であって、その供給装置は少なくとも１つの可動部材を有し、その部材は、動いたときに組成物を貯蔵容器から噴霧デバイスへ流動させる、物質供給装置
を有している。
【００２８】
圧電噴霧デバイスは、再充填部に支持された振動する薄膜と、その薄膜を振動させる圧電素子を含むことができる。
【００２９】
圧電素子は再充填部によって支持され、再充填部に連結することができる。
【００３０】
変形例では、再充填部は圧電素子を支持していなくともよく、必要に応じて、圧電素子は容器で支持し、その容器に、再充填部の少なくとも部分が導入されている。
【００３１】
物質供給装置は、ポンプ、例えば、互いに接触して回転する２つの回転部材を有するポンプを有することができる。
【００３２】
再充填部は圧電デバイスに対する供給室を有することができる。
【００３３】
貯蔵容器は柔軟な袋を有することができる。
【００３４】
再充填部に収納される物質は、メイキャップ組成物、具体的には、ファンデーション又は自動日焼け組成物にすることができ、分極できても、できなくともよい。
【００３５】
再充填部は少なくとも一部は、容器の筐体に収容することができる。
【００３６】
本発明は、以下の詳細な説明、たとえば、本発明の限定するものではない実施例と、添付の図面を参照して、より理解することができる。
【実施例】
【００３７】
図１に示す噴霧装置１は、容器２の開口４を通して物質の噴霧を可能にする圧電噴霧デバイス３を収容する容器２を有する。
【００３８】
開口４は、例えば、図１に示すように容器２の縦軸Ｘに直交する軸を有する前面開口であるが、本発明の範囲を逸脱することなく、他の構造の容器２とすることができる。
【００３９】
考察している実施例では、開口４は取外し可能な蓋５に形成されていて、それは、たとえば、互いに反対側にある解除タブ６を作用して容器の基部から分離することができる。
【００４０】
蓋５を取ると、図２ないし４に分離して示すような取外し可能な再充填部１０にアクセスできる。
【００４１】
噴霧装置１は、図７に略図的に示すように、電源１１を有し、たとえば、この電源は蓋５の下で、及び／又は不表示のフラップを取り除いた後で、アクセスでき、交換することができる。別の方法では、電源１１は再充填部１０と一体にすることができる。
【００４２】
また、噴霧装置１は、後述のように、噴霧サイクル期間中、電気モーター１３の動作及び圧電デバイス３の動作を制御することができる制御回路１２を有している。
【００４３】
噴霧装置１は、例示のものでは、容器２の頂部にあるプッシュボタン１５を有している。このプッシュボタン１５は、蓋５の上にある対応する開口を貫通することができる。
【００４４】
噴霧装置１は、図７に略図的に示すように、更に、少なくとも１つの可聴及び／又は可視信号１７、例えば、発光ダイオード（ＬＥＤ）及び場合により少なくとも１つの傾斜計を有することができ、これらの役割については後述する。
【００４５】
再充填部１０は、図２に示すように、貯蔵容器２０を有し、これは、例えば、柔軟な袋の形であり、分布される少なくとも１つの物質を含んでいる。物質は、必要ならば、空気を内部に取り込むことなく、貯蔵容器２０から引き出すことができる。
【００４６】
例示の実施例では、再充填部１０は更に圧電デバイス３を有し、これは貯蔵容器２０と一体にされたケース２２内に収容されている。
【００４７】
圧電デバイス３の実施例は、図１２及び１３に図示されている。
【００４８】
これらの実施例では、圧電デバイス３は、圧電材料の圧電素子７０及び薄膜７１を含んでいる。図１２及び１３に見られるように、薄膜７１はグリッドとも呼ばれることもある有孔薄膜であり、圧電素子７０による振動で機械的な応力を受ける。図１２の実施例では、圧電素子７０は、例えば、セラミック材料、具体的にはジルコン酸塩（ＰＺＴ）、メタニオブ酸（ＰＮ）、チタン酸バリウム又は酸化亜鉛、を含むリングである。フランス国特許２８８６１７４は、そのような圧電素子の例を開示している。
【００４９】
図１２に見られるように、圧電デバイス３は、取外し可能な再充填部１０のみによって支持され、圧電素子７０及び薄膜７１は共に再充填部１０によって支持される。
【００５０】
図１３に示す変形例では、再充填部１０に圧電素子７０が無く、その圧電素子は、再充填部を入れる容器２によって支持され、かつ、薄膜７１が振動するように、取外し可能な再充填部１０と接触するように構成することができる。米国特許第４７０２４１８号にはそのようなデバイスが開示されている。
【００５１】
本発明は、円形の圧電素子に限定されるものではない。
【００５２】
他の変形例は、圧電素子は国際公開公報ＷＯ９１／１６９９７に開示されているようなソノトロードを含むことができる。
【００５３】
有孔薄膜は、例えば、直径６ｍｍ以上、例えば、７ｍｍ程度のものである。薄膜は、例えば、１００を越える孔があり、例えば、１５０個の孔を有する。
【００５４】
その孔は、例えば、直径が２０μｍと４０μｍとの間にあり、例えば、３０μｍである。
【００５５】
それらの孔は、例えば、薄膜の中央領域に位置している。
【００５６】
薄膜は、例えば、セラミック材料に結合され、そのセラミック材料は、厚さが０．５と０．７ｍｍとの間にあり、例えば、０．６ｍｍで、外径が２０ｍｍ、そして、内径が、例えば、５ｍｍである。
【００５７】
セラミック材料は、１００ｋＨｚ最大振幅の正弦波電圧で付勢される。
【００５８】
制御回路１２は、圧電素子がリング形の場合は、圧電材料のリングから付勢電流を供給することができ、付勢周波数で共振値を維持しうる電子部品を含んでいる。
【００５９】
貯蔵容器２０は、それに物質を再充填できるような方法で実現でき、そのための開口を有することができる。
【００６０】
ケース２２は、図２の例では、圧電デバイス３と共にポンプ２６を収容し、そのポンプは、物質を貯蔵容器２０から、圧電デバイス３の供給室２７に流通させることができる。室２７は、片側で、圧電デバイスの振動する薄膜によって区切られている。
【００６１】
室２７は、１ｍｌ以下の容積で、例えば、全容積は０．２５と０．７５ｍｌとの間にすることができる。
【００６２】
噴霧期間の、室２７への物質の流量は、例えば、毎分０．１ｇと毎分５ｇとの間であり、例えば、毎分０．７ｇから毎分０．９ｇまでである。
【００６３】
ポンプ２６は、互いに接触して回転する２つの回転部材２８と２９であり、ポンプが止められたときに、室２７と貯蔵容器２０との流通を遮断することができる。
【００６４】
ポンプ２６は、ケース２２の片側でアクセスできる第一結合部材３０によって回転を開始でき、この第一結合部材３０は、図７で略図的にのみ示されているモーター１３で駆動される第二結合部材３１と協働するように構成されている。モーターの回転は、このようにして、第一及び第二結合部材３０及び３１を介して回転部材２８及び２９に伝達される。
【００６５】
噴霧装置は、必要ならば、モーター１３と第二結合部材３１の間に減速機を有することができる。
【００６６】
ケース２２は、また、検討している例では、圧電デバイス３の電源用の導体３２を有することができ、容器２は、制御回路１２に接続された対応する電気接点を収容している。
【００６７】
容器２内の再充填部１０を設定する間、第一及び第二結合部材３０及び３１は協働し、導体３２には制御回路１２によって電流が供給される。
【００６８】
噴霧サイクル期間の噴霧装置１の動作は、図１１に示すように、例えば、下記の通りである。
【００６９】
最初に、ステップ４０で、プッシュボタン１５を押すと、それが制御回路１２で検出される。
【００７０】
従って、ステップ４１で、制御回路１２は圧電デバイス３の動作を制御し、次いで、ステップ４２で、供給室２７への物質の流通が開始するようにモーター１３の動作を制御する。
【００７１】
噴霧は、例えば、使用者がプッシュボタン１５を押し続ける間は発生することができる。
【００７２】
ステップ４３で、プッシュボタン１５が解放されたことが検出されると、圧電デバイス３の動作は維持され、その間、ポンプ２６が供給室２７を空にするように、モーター１３の回転方向が逆になる。所定の期間後、ステップ４５で圧電デバイス３は動作を停止することができる。
【００７３】
間隔を置いた２回の使用の間に、供給室内の物質の乾燥及び著しい固体の堆積の形成が避けられるので、物質が比較的に粘性でも、圧電デバイスによって繰り返し噴霧することができる。
【００７４】
供給室２７は、その底部に位置する流路４８によって補充することができる。流路４８は、好ましくは、薄い部分である。
【００７５】
制御回路１２は、噴霧装置１が、供給室２７を完全に空にするために最も良い方向、すなわち、図６の例で右側上、でないことを、例えば、可聴及び／又は可視信号を発して、傾斜計１９によって使用者に警告するように構成できる。
【００７６】
制御回路１２は、モーター１３が、物質を供給室２７に補充するようにポンプ２６を駆動するときに、必要ならば、更にモーター１３の動作時間を計測することができる。このように計測したその動作時間を所定の時間を比較することができ、制御回路１２は、例えば、可聴及び／又は可視信号を発して、貯蔵容器２０が間もなく空になることを使用者に警告するように構成できる。
【００７７】
警告信号１７は、例えば、ＬＥＤであり、貯蔵容器２０が空であるか、ほぼ空であるときに、色を変えるか、点滅する。このＬＥＤはデバイスの良好な動作状態を示すために点灯することができる。
【００７８】
空になると、再充填部１０は除去され、貯蔵容器２０が満杯の新しい再充填部で置き換えることができる。
【００７９】
本発明は、貯蔵容器２０から供給室２７に、あるいはその逆に物質を流通させるのに、特別な駆動手段に限定されるものではなく、各種のタイプのポンプ、ねじ又は歯車を有する、例えば、ぜん動ポンプを使用することができる。
【００８０】
貯蔵容器２０は、また、図８に示すように、少なくとも部分的に、ピストン６５によって画定することができ、供給室２７が補充されるか、空にされるかに従って、ピストン２０をどちらかに移動できるプッシュボタン５０をモーター１３で駆動することができる。
【００８１】
本発明は単１の物質の噴霧に限定されるものではなく、容器２は、例えば、少なくとも２つの再充填部を受容し、再充填部はそれぞれ１つの噴霧デバイス３に付設され、この場合、図９に示すように、容器２は、各物質のそれぞれの噴霧に対して２つの開口４ａ及び４ｂを有することができる。
【００８２】
噴霧装置１は、従って、セレクター５２を有していて、使用者が一方又は他方の物質を選ぶことができ、使用者が決める割合で２つの物質を同時に噴霧することさえでき、この場合、制御回路は、例えば、噴霧される物質の相対的な比率に従って、対応するポンプを異なる回転速度でそれぞれのモーターを制御することができる。
【００８３】
図１０に示すように、単一の開口を介して、一緒にこれらの物資を同様に噴霧することができる。
【００８４】
この場合、噴霧装置は、噴霧される２つの物質をそれぞれが含有する２つの貯蔵容器と、噴霧デバイスに付設した単一の供給室に補充することができる対応するポンプを有することができる。
【００８５】
圧電デバイスは、いろいろな方法で実現でき、例えば、いずれの形式の振動薄膜を有することもできる。本発明は、特別の形の圧電デバイスに対する供給室に限定されない。圧電デバイスの供給室の形状は、具体的には、振動薄膜の形状によって決めることができる。
【００８６】
必要ならば、再充填部は内部に入っている物質の性質を制御回路１２に通知する手段、例えば、ケースの接点と協働する突起を有することができ、そして、その状態を制御回路が分析する。
【００８７】
再充填部は、また、内部に入っている物質を表す情報、場合により、例えば、物質の噴霧条件に関する情報、例えば、圧電デバイスの流速、のような別の特徴をも更に入れている電子メモリー又はバーコードを有することができる。
【００８８】
関心のある物質を噴霧するように適合された圧電デバイスのいずれの形式のものも使用することができる。
【００８９】
圧電デバイスは、国際特許公報ＷＯ９１１６９９７に開示されている形状のものとすることができる。
【００９０】
「１つを有する」という表現は、特に明記しない限り「少なくとも１つを有する」というのと同義であると理解されたい。
【図面の簡単な説明】
【００９１】
【図１】本発明の噴霧装置の実施例の斜視図である。
【図２】図１の噴霧装置の再充填部を分離して示す。
【図３】図２の矢印3に従った側面図である。
【図４】図３の矢印4に従った背面図の一部である。
【図５】使用可能なポンプの例を略図的に示す。
【図６】圧電デバイスに対する供給室と付設したポンプを略図的に示す。
【図７】噴霧装置の種々の構成要素を示す構成図である。
【図８】物質を流通させる装置の別な実施例である。
【図９】噴霧装置の別の実施例の部分的斜視図である。
【図１０】噴霧装置の更に別の実施例の部分的斜視図である。
【図１１】噴霧サイクルの典型的なフローを例示したフローチャートである。
【図１２】本発明の他の圧電噴霧デバイスの実施例の略図である。
【図１３】本発明の別の圧電噴霧デバイスの実施例の略図である。
【符号の説明】
【００９２】
１  噴霧装置
２  容器
３  圧電デバイス
４  ケース２の開口
５  取外し可能な蓋
１０  再充填部
１１  電源
１２  制御回路
１３  電気モーター
１５  容器２の頂部にあるプッシュボタン
１７  可聴信号又は可視信号
１９  傾斜計
２０  貯蔵容器
２６  ポンプ
２７  供給室
３０  第一結合部材
３１  第二結合部材
７０  圧電素子
７１  薄膜
【図１】
2008155207.tif 000003
【図２】
2008155207.tif 000004
【図３】
2008155207.tif 000005
【図４】
2008155207.tif 000006
【図５】
2008155207.tif 000007
【図６】
2008155207.tif 000008
【図７】
2008155207.tif 000009
【図８】
2008155207.tif 000010
【図９】
2008155207.tif 000011
【図１０】
2008155207.tif 000012
【図１１】
2008155207.tif 000013
【図１２】
2008155207.tif 000014
【図１３】
2008155207.tif 000015
【外国語明細書】
2008155207000001.pdf
2008155207000002.pdf
2008155207000003.pdf
2008155207000004.pdf